【手続補正書】
【提出日】平成17年6月17日(2005.6.17)
【手続補正１】
【補正対象書類名】特許請求の範囲
【補正対象項目名】全文
【補正方法】変更
【補正の内容】
【特許請求の範囲】
【請求項１】
無線通信システムの受信ユニットにおいてパイロット干渉を除去するための方法であって、
複数の信号インスタンスからなる信号を受信する工程であって、各信号インスタンスがパイロットを含んでいることと、
一つ以上の信号インスタンスによる全パイロット干渉を導き出すことと、
前記全パイロット干渉を前記受信信号から減算して、パイロット除去信号を導き出すことと、
前記パイロット除去信号を処理して、前記受信信号における少なくとも一つの信号インスタンスの各々の復調データを導き出すことと、を備えている方法。
【請求項２】
前記全パイロット干渉が、
前記一つ以上の信号インスタンスの各々によるパイロット干渉を推定することと、
前記一つ以上の信号インスタンスの前記推定パイロット干渉を累算することと、によって導き出される請求項１に記載の方法。
【請求項３】
前記一つ以上の信号インスタンスの各々による前記パイロット干渉が、
前記信号インスタンスを処理して、前記信号インスタンスのチャネル応答の推定を導き出すことと、
前記信号インスタンスの処理済みパイロットデータに、前記推定チャネル応答を乗算して、前記推定パイロット干渉を提供することと、によって推定される請求項２に記載の方法。
【請求項４】
前記一つ以上の信号インスタンスの各々の前記処理済みパイロットデータが前記信号インスタンスの拡散シーケンスである請求項３に記載の方法。
【請求項５】
前記信号インスタンスの前記拡散シーケンスが、前記信号インスタンスの到着時間に対応する位相を有している請求項４に記載の方法。
【請求項６】
前記一つ以上の信号インスタンスの各々の前記推定チャネル応答が、
前記受信信号のデータサンプルを前記信号インスタンスの拡散シーケンスによって逆拡散することと、
前記逆拡散サンプルをパイロットチャネル化コードによってチャネル化して、パイロットシンボルを提供することと、
前記パイロットシンボルをフィルタリングして、前記推定チャネル応答を提供することと、によって導き出される請求項３に記載の方法。
【請求項７】
前記信号インスタンスの前記推定チャネル応答が前記受信信号のデータサンプルの現在のセグメントに基づいて導き出され、また前記推定パイロット干渉がデータサンプルの次のセグメント用である請求項３に記載の方法。
【請求項８】
前記信号インスタンスの前記推定チャネル応答が前記受信信号のデータサンプルの現在のセグメントに基づいて導き出され、また前記推定パイロット干渉がデータサンプルの同一のセグメント用である請求項３に記載の方法。
【請求項９】
前記一つ以上の信号インスタンスの各々の前記推定チャネル応答が前記受信信号のデータサンプルに基づいて導き出される請求項３に記載の方法。
【請求項１０】
前記一つ以上の信号インスタンスの各々の前記推定チャネル応答が、他の干渉信号インスタンスからパイロットが除去されているデータサンプルではなく、前記信号インスタンスからパイロットが除去されていないデータサンプルに基づいて導き出される請求項３に記載の方法。
【請求項１１】
前記少なくとも一つの信号インスタンスの各々の前記パイロット除去信号を処理することが、
前記パイロット除去信号のサンプルを前記信号インスタンスの拡散シーケンスによって逆拡散することと、
前記逆拡散サンプルをデータチャネル化コードによってチャネル化して、データシンボルを提供することと、
前記データシンボルをパイロット推定によって復調して、前記信号インスタンスの前記復調データを提供することと、を備えている請求項１に記載の方法。
【請求項１２】
前記少なくとも一つの信号インスタンスの各々の前記パイロット推定が前記受信信号のデータサンプルに基づいて導き出される請求項１１に記載の方法。
【請求項１３】
前記少なくとも一つの信号インスタンスの各々の前記パイロット推定が、他の干渉信号インスタンスからパイロットから除去されているデータサンプルではなく、前記信号インスタンスからパイロットから除去されていないデータサンプルに基づいて導き出される請求項１１に記載の方法。
【請求項１４】
前記一つ以上の信号インスタンスによる前記パイロット干渉が時分割多重化方式によって推定される請求項２に記載の方法。
【請求項１５】
前記減算することが、
前記全パイロット干渉の干渉サンプルを前記受信信号のデータサンプルから減算することを含んでおり、前記干渉サンプルおよびデータサンプルの両方が特定のサンプルレートで提供される請求項１に記載の方法。
【請求項１６】
前記復調データを導き出すために処理されている信号インスタンスによる前記パイロット干渉が前記全パイロット干渉から除去される請求項１に記載の方法。
【請求項１７】
前記パイロット除去信号を処理して、前記受信信号における新たな信号インスタンスを検索することをさらに備えている請求項１に記載の方法。
【請求項１８】
前記サンプルレートがチップレートの複数倍である請求項１５に記載の方法。
【請求項１９】
前記全パイロット干渉を導き出すことが、前記受信信号のデータサンプルのセグメントに基づいて実行される請求項１に記載の方法。
【請求項２０】
前記各セグメントがシンボル周期ごとにデータサンプルを含んでいる請求項１９に記載の方法。
【請求項２１】
復調データを導き出すための前記処理が、前記パイロット除去信号のパイロット除去データサンプルのセグメントに基づいて実行される請求項１に記載の方法。
【請求項２２】
前記全パイロット干渉を導き出すことと、前記パイロット除去信号の前記処理とがパラレルに実行される請求項１に記載の方法。
【請求項２３】
前記全パイロット干渉を導き出すことと、前記パイロット除去信号の前記処理とがパイプライン方式で実行される請求項１に記載の方法。
【請求項２４】
前記無線通信システムがＣＤＭＡシステムである請求項１に記載の方法。
【請求項２５】
前記ＣＤＭＡシステムがｃｄｍａ２０００規格をサポートしている請求項２４に記載の方法。
【請求項２６】
前記ＣＤＭＡシステムがＷ−ＣＤＭＡ規格をサポートしている請求項２４に記載の方法。
【請求項２７】
前記ＣＤＭＡシステムがＩＳ−９５規格をサポートしている請求項２４に記載の方法。
【請求項２８】
前記受信信号が、前記ＣＤＭＡシステムにおいて、一つ以上のリバースリンク変調信号を備えている請求項２４に記載の方法。
【請求項２９】
前記受信信号が、前記ＣＤＭＡシステムにおいて、一つ以上のフォワードリンク変調信号を備えている請求項２４に記載の方法。
【請求項３０】
無線通信システムの受信ユニットにおいてパイロット干渉を除去するための方法であって、
複数の信号インスタンスからなる受信信号を処理して、データサンプルを提供することであって、各信号インスタンスがパイロットを含んでいることと、
前記データサンプルを処理して、一つ以上の信号インスタンスの各々によるパイロット干渉の推定を導き出すことと、
前記推定パイロット干渉に基づいて、前記一つ以上の信号インスタンスによる全パイロット干渉を導き出すことと、
前記全パイロット干渉を前記データサンプルから減算して、パイロット除去データサンプルを導き出すことと、
前記パイロット除去データサンプルを処理して、前記受信信号における少なくとも一つの信号インスタンスの各々の復調データを導き出すことと、を備えている方法。
【請求項３１】
前記データサンプルを処理して、前記一つ以上の信号インスタンスの各々による前記推定パイロット干渉を導き出すことが、
前記データサンプルを前記信号インスタンスの拡散シーケンスによって逆拡散することと、
前記逆拡散サンプルをパイロットチャネル化コードによってチャネル化して、パイロットシンボルを提供することと、
前記パイロットシンボルをフィルタリングして、前記信号インスタンスの推定またはチャネル応答を提供することと、
前記信号インスタンスの前記拡散シーケンスに前記推定チャネル応答を乗算して、前記信号インスタンスによる前記推定パイロット干渉を提供することと、を備えている請求項３０に記載の方法。
【請求項３２】
前記パイロット除去データサンプルを処理して、前記少なくとも一つの信号インスタンスの各々の前記復調データを導き出すことが、
前記パイロット除去データサンプルを前記信号インスタンスの拡散シーケンスによって逆拡散することと、
前記逆拡散サンプルをデータチャネル化コードによってチャネル化して、データシンボルを提供することと、
前記データシンボルを復調して、前記信号インスタンスの前記復調データを提供することと、を備えている請求項３０に記載の方法。
【請求項３３】
前記減算することが、
前記全パイロット干渉の干渉サンプルを前記受信信号の前記データサンプルから減算することを備えており、前記干渉サンプルおよびデータサンプルの両方が、チップレートの複数倍の特定のサンプルレートで提供される請求項３０に記載の方法。
【請求項３４】
無線通信システムにおける受信ユニットであって、
複数の信号インスタンスからなる受信信号を処理して、データサンプルを提供するための受信機であって、各信号インスタンスがパイロットを含んでいる受信機と、
復調器であって、
前記データサンプルを処理して、一つ以上の信号インスタンスの各々によるパイロット干渉の推定を導き出し、かつ前記推定パイロット干渉に基づいて、前記一つ以上の信号インスタンスによる全パイロット干渉を導き出すためのパイロット干渉推定器と、
前記全パイロット干渉を前記データサンプルから減算して、パイロット除去データサンプルを提供するための加算器と、
前記パイロット除去データサンプルを処理して、前記受信信号における少なくとも一つの信号インスタンスの各々の復調データを導き出すためのデータ復調ユニットと、を含む復調器と、を備えている受信ユニット。
【請求項３５】
前記復調器がさらに、
前記一つ以上の信号インスタンスの推定チャネル応答を提供するためのチャネル推定器を備えている請求項３４に記載の受信ユニット。
【請求項３６】
前記パイロット干渉推定器がさらに、前記一つ以上の信号インスタンスの各々の処理済みパイロットデータに前記信号インスタンスの前記推定チャネル応答を乗算して、前記信号インスタンスによる前記推定パイロット干渉を提供するように構成されている請求項３５に記載の受信ユニット。
【請求項３７】
前記少なくとも一つの信号インスタンスの各々について、前記データ復調ユニットが、前記パイロット除去データサンプルを前記信号インスタンスの拡散シーケンスによって逆拡散し、前記逆拡散サンプルをデータチャネル化コードによってチャネル化してデータシンボルを提供し、かつ前記データシンボルを前記信号インスタンスのパイロット推定によって復調して前記信号インスタンスの前記復調データを提供するように構成されている請求項３４に記載の受信ユニット。
【請求項３８】
ＣＤＭＡシステムにおける端末であって、
複数の信号インスタンスからなる受信信号を処理してデータサンプルを提供するための受信機であって、各信号インスタンスがパイロットを含んでいる受信機と、
復調器であって、
前記データサンプルを処理して一つ以上の信号インスタンスの各々によるパイロット干渉の推定を導き出し、かつ前記一つ以上の信号インスタンスによる全パイロット干渉を前記推定パイロット干渉に基づいて導き出すためのパイロット干渉推定器と、
前記全パイロット干渉を前記データサンプルから減算してパイロット除去データサンプルを導き出すための加算器と、
前記パイロット除去データサンプルを処理して前記受信信号における少なくとも一つの信号インスタンスの各々の復調データを導き出すためのデータ復調ユニットと、を含む復調器と、を備えている端末。
【請求項３９】
前記復調器がさらに、
前記一つ以上の信号インスタンスの各々の推定チャネル応答を提供するためのチャネル推定器を含んでいる請求項３８に記載の端末。
【請求項４０】
前記パイロット干渉推定器がさらに、前記一つ以上の信号インスタンスの各々の処理済みパイロットデータに前記信号インスタンスの前記推定チャネル応答を乗算して前記信号インスタンスによる前記推定パイロット干渉を提供するように構成されている請求項３９に記載の端末。
【請求項４１】
前記少なくとも一つの信号インスタンスの各々について、前記データ復調ユニットが、前記パイロット除去データサンプルを前記信号インスタンスの拡散シーケンスで逆拡散し、前記逆拡散サンプルをデータチャネル化コードでチャネル化してデータシンボルを提供し、かつ前記データシンボルを前記信号インスタンスのパイロット推定で復調して前記信号インスタンスの前記復調データを提供するように構成されている請求項３８に記載の端末。
【請求項４２】
ＣＤＡＭシステムにおける基地局であって、
複数の信号インスタンスからなる受信信号を処理してデータサンプルを提供するための受信機であって、各信号インスタンスがパイロットを含んでいる受信機と、
復調器であって、
前記データサンプルを処理して一つ以上の信号インスタンスの各々によるパイロット干渉の推定を導き出し、かつ前記一つ以上の信号インスタンスによる全パイロット干渉を前記推定パイロット干渉に基づいて導き出すためのパイロット干渉推定器と、
前記全パイロット干渉を前記データサンプルから減算してパイロット除去データサンプルを導き出すための加算器と、
前記パイロット除去データサンプルを処理して前記受信信号における少なくとも一つの信号インスタンスの各々による復調データを導き出すためのデータ復調ユニットと、を含む復調器と、を備えている基地局。
【請求項４３】
前記復調器がさらに、
前記一つ以上の信号インスタンスの各々の推定チャネル応答を提供するためのチャネル推定器を備えている請求項４２に記載の基地局。
【請求項４４】
前記パイロット干渉推定器がさらに、前記一つ以上の信号インスタンスの各々の処理済みパイロットデータに前記信号インスタンスの前記推定チャネル応答を乗算して前記信号インスタンスによる前記推定パイロット干渉を提供するように構成されている請求項４３に記載の基地局。
【請求項４５】
前記少なくとも一つの信号インスタンスの各々について、前記データ復調ユニットが、前記パイロット除去データサンプルを前記信号インスタンスの拡散シーケンスで逆拡散し、前記逆拡散サンプルをデータチャネル化コードでチャネル化してデータシンボルを提供し、かつ前記データシンボルを前記信号インスタンスのパイロット推定で復調して前記信号インスタンスの前記復調データを提供するように構成されている請求項４２に記載の基地局。
【請求項４６】
前記全パイロット干渉を導き出すことは、
前記１つ以上の信号インスタンスを加算することによって前記全パイロット干渉を決定することを具備する請求項２に記載の方法。
【請求項４７】
前記推定されたパイロット干渉を蓄積することは、
前記推定された信号インスタンスを記憶することを具備する請求項４６記載の方法。
【請求項４８】
前記全パイロット干渉を決定することはさらに、
前記記憶された信号インスタンスを加算することによって前記全パイロット干渉を決定することを具備する請求項４７記載の方法。
【請求項４９】
前記１つ以上の信号インスタンスに対する前記全パイロット干渉を蓄積するように構成された干渉蓄積ユニットをさらに具備する請求項３４記載の干渉蓄積器ユニット。
【請求項５０】
時間オフセットによって規定された複数の部分をさらに具備する請求項４７記載の干渉蓄積器ユニット。
【手続補正２】
【補正対象書類名】明細書
【補正対象項目名】００２８
【補正方法】変更
【補正の内容】
【００２８】
受信（ＲＸ）データプロセッサ２５６は端末ごとの復調データを受信および復号し、リバースリンク上の端末によって送信されるユーザ固有のデータおよびメッセージを復元する。復調器２５４およびＲＸデータプロセッサ２５６による処理は、端末においてそれぞれ変調器２１６およびＴＸデータプロセッサ２１４によって実行される処理に相補的である。
【手続補正３】
【補正対象書類名】明細書
【補正対象項目名】００２９
【補正方法】変更
【補正の内容】
【００２９】
図４は、多数の端末１０６からのリバースリンク変調信号を受信および復調できるレーキ受信機２５４ａの一実施形態のブロック図である。レーキ受信機２５４ａは、一つ以上の（Ｌ個の）サンプルバッファ４０８と、一つ以上の（Ｍ個の）フィンガプロセッサ４１０と、サーチャ４１２と、シンボル結合器４２０とを含んでいる。図４の実施形態は、同一のシンボル結合器４２０に接続されている全フィンガプロセッサ（複数）４１０を示している。
【手続補正４】
【補正対象書類名】明細書
【補正対象項目名】００３６
【補正方法】変更
【補正の内容】
【００３６】
各サンプルバッファ４０８は受信データサンプルを記憶し、さらに適切なデータサンプルを、適切な時に適切な処理ユニット（例えばフィンガプロセッサ４１０および／またはサーチャ４１２）に提供する。一設計において、各バッファ４０８はデータサンプルを、割り当てられているフィンガプロセッサ４１０のそれぞれの組に提供し、バッファに関連している受信信号におけるマルチパスを処理する。別の設計において、多数のバッファ４０８はデータサンプルを、時分割多重化方式で多数のマルチパスを処理する能力を有する特定のフィンガプロセッサに（例えば時分割多重化方式で）提供する。サンプルバッファ４０８ａ乃至４０８ｌはまた適切なサイズおよびスピードの信号バッファとして実現されてもよい。
【手続補正５】
【補正対象書類名】明細書
【補正対象項目名】００３８
【補正方法】変更
【補正の内容】
【００３８】
各リバースリンクにより送信された変調信号ｘｊ（ｔ）について、サーチャ４１２は、（おそらく各検索されたマルチパスの信号強度に伴う）リバースリンク変調信号に対して検索された一つ以上のマルチパスに対して、一つ以上のタイムオフセットｔｉ，ｊ，ｌを提供してもよい。サーチャ４１２によって提供されるタイムオフセットｔｉ，ｊ，ｌは基地局のタイミングまたはＣＤＭＡシステムタイムに相対的であり、また信号送信の時間に相対的である式（２）に示されているタイムオフセット
【数６】
2004529590.tif 000001
に関連している。
【手続補正６】
【補正対象書類名】明細書
【補正対象項目名】００５９
【補正方法】変更
【補正の内容】
【００５９】
一実施形態において、乗算器５３６はｍ番目のマルチパスによる推定パイロット干渉を、サンプルレート（例えばチップレートの８倍）で、かつｍ番目のマルチパスのタイミング位相で提供する。これによって、（一般的に全部がＰＮチップのタイミング境界に整列されているわけではない異なるタイムオフセットを有する）全マルチパスの推定パイロット干渉が、より高い時間解像度で累算される。そして、データサンプルセグメントと同数の干渉サンプルを含む、ｍ番目のマルチパスの推定パイロット干渉Ｉｐｉｌｏｔ，ｍ（ｋ＋Ｎ）が干渉累算器５３８に提供される。図６Ａに示されているように、ｍ番目のマルチパスの干渉サンプルは、マルチパスのタイムオフセットの端数部分によって決定された累算器５３８の位置に記憶される（すなわち既に記憶されている干渉サンプルと共に累算される）。
【手続補正７】
【補正対象書類名】明細書
【補正対象項目名】００６７
【補正方法】変更
【補正の内容】
【００６７】
データ復調器５４８はデータシンボルを受信して、パイロット推定Ｐｍ（ｋ）で復調して、ｍ番目のマルチパスの復調シンボル（すなわち復調データ）を提供し、これはシンボル結合器４２０に提供される。データ復調およびシンボル結合は、前述の米国特許第５，７６４，６８７号に説明されているように実行されてもよい。‘６８７号特許は、逆拡散データとフィルタパイロット間のドット生成を実行することによるＩＳ−９５のＢＰＳＫデータ復調について説明している。ｃｄｍａ２０００およびＷ−ＣＤＭＡにおいて使用されているＱＰＳＫ変調の復調は、‘６８７号特許に説明されている技術の拡張である。すなわち、ドットプロダクトではなく、ドットプロダクトとクロスプロダクトの両方を使用して同相および直交のストリームを提供する。
【手続補正８】
【補正対象書類名】明細書
【補正対象項目名】００６８
【補正方法】変更
【補正の内容】
【００６８】
上記の通り、ｍ番目のマルチパスのデータ復調はパイロット干渉推定とパラレルに、かつパイプライン方式で実行されてもよい。逆拡散器５４４とデータチャネライザ５４６が、現在のセグメントのパイロット除去データサンプルを（拡散シーケンスＳｍ＊（ｋ）とチャネル化コードＣｃｈ，ｍによって）処理して、ｍ番目のマルチパスのデータシンボルを提供すると、逆拡散器５２４とパイロットチャネライザ５２６は現在のセグメントの同一のデータサンプルを（拡散シーケンスＳｍ＊（ｋ）とパイロットチャネル化コードＣｐｉｌｏｔ，ｍによって）処理して、このマルチパスのパイロットシンボルを提供してもよい。パイロットシンボルはパイロットフィルタ５２８によってフィルタリングされ、マルチパスのパイロット推定Ｐｍ（ｋ）を提供する。そしてパイロット干渉推定器５３０は上記のように、以下のセグメントに対するこのマルチパスによる推定パイロット干渉Ｉｐｉｌｏｔ，ｍ（ｋ＋Ｎ）を導き出す。このようにして、データ復調が、前のセグメントから導き出された全パイロット干渉Ｉｐｉｌｏｔ（ｋ）を使用して現在のセグメントで実行されると、次のセグメントのパイロット干渉が推定されて、次のセグメントで使用する累算器５３８の別の部分に記憶される。
【手続補正９】
【補正対象書類名】明細書
【補正対象項目名】００６９
【補正方法】変更
【補正の内容】
【００６９】
一実施形態において、復調されている特定のマルチパスのパイロットは、（累算器５３８からの）パイロット除去データサンプルに基づくのではなく、上記のように（サンプルバッファ４０８ｘからの）「未処理の（ｒａｗ）」受信データサンプルに基づいて推定される。別の実施形態において、全パイロット干渉が、復調されているマルチパスのパイロットを除く干渉パイロットの一部または全部を含んでいる場合（すなわち、復調されているマルチパスのパイロットが「他のパイロットが除去されている」データサンプルに含まれている場合）、パイロットがパイロット除去データサンプルに基づいて推定されてもよい。この代替実施形態は復調されているマルチパスのチャネル応答の向上した推定を提供することができ、パイロット推定が一般的に弱マルチパスの処理における制限要因であるリバースリンクにはとりわけ好都合である。パイロット推定に使用される同一の「他のパイロットが除去されている」データサンプルもまた処理されて、マルチパスのデータを復元し、これはパイロット推定とデータ復調の両方を同一のデータサンプルストリームでパラレルに実行するフィンガプロセッサのアーキテクチャに好都合である。同じ概念を使用して、特定の干渉マルチパスのチャネル応答を推定することができる（すなわち、推定チャネル応答は未処理のデータサンプルと、特定のマルチパスが除去されているパイロットを除く干渉パイロットを有する「他のパイロットが除去されている」データサンプルのいずれかに基づいていてもよい）。
【手続補正１０】
【補正対象書類名】明細書
【補正対象項目名】００７０
【補正方法】変更
【補正の内容】
【００７０】
図６Ａおよび６Ｂは、１つの具体的な実現に従った、パイロット干渉の推定を導き出すためのデータサンプルの処理を示している図である。図６Ａおよび６Ｂに示されている例において、受信信号はタイムオフセットｔ１、ｔ２、およびｔ３に関連する３つのマルチパスを含んでいる。受信信号がチップレートの８倍のサンプルレートでディジタル化されて、データサンプルを提供し、これはサンプルバッファ４０８に記憶される。これらのマルチパスはそのピークでサンプリングされてもそうでなくてもよい。
【手続補正１１】
【補正対象書類名】明細書
【補正対象項目名】００７２
【補正方法】変更
【補正の内容】
【００７２】
図６Ａにおいて、端数のタイムオフセットがｔｆｒａｃ，ｍ＝５である、ｍ番目のマルチパスのｎ番目のシンボル周期について、リサンプラ５２２がデータサンプル５乃至５１６をサンプルバッファ４０８から受信し、斜線のボックスで表されているデータサンプル５、１３、２０などと、５０９を逆拡散器５２４に提供する。従って、逆拡散器５２４は、同一のタイムオフセットｔｍに対応する位相を有する拡散シーケンスＳｍ＊（ｋ）を受信し、間引きデータサンプルを拡散シーケンスによって逆拡散する。次いで、パイロット推定Ｐｍ（ｋ）が、上記のように、このセグメントの逆拡散サンプルに基づいて導き出される。
【手続補正１２】
【補正対象書類名】明細書
【補正対象項目名】００７３
【補正方法】変更
【補正の内容】
【００７３】
ｍ番目のマルチパスによる推定パイロット干渉を導き出すために、拡散器５３４は次のセグメント及び拡散チャネル化パイロットデータに対応する拡散シーケンスＳｍ（ｋ＋Ｎ）を受信する。そして乗算器５３６は（拡散シーケンスＳｍ（ｋ＋Ｎ）によって拡散された）拡散パイロットデータに、現在のセグメントから導き出されたパイロット推定Ｐｍ（ｋ）を乗算し、次のセグメントの推定パイロット干渉Ｉｐｉｌｏｔ，ｍ（ｋ＋Ｎ）を提供する。推定パイロット干渉Ｉｐｉｌｏｔ，ｍ（ｋ＋Ｎ）は干渉サンプル５１７乃至１０２８を備えており、これらは図６Ａに示されているように、干渉累算器５３８の同一のインデックス５１７乃至１０２８のサンプルと共に累算される。このように、ｍ番目のマルチパスの端数タイムオフセットを、全パイロット干渉の導出について説明する。
【手続補正１３】
【補正対象書類名】明細書
【補正対象項目名】００７８
【補正方法】変更
【補正の内容】
【００７８】
（例えば、一つのフィンガプロセッサを割り当てて多数のマルチパスを処理する場合）同一のデータサンプルが複数回処理される復調設計について、サンプルバッファ４０８は、データサンプルが不注意に欠落することがないように設計および操作される。一実施形態において、サンプルバッファは、記憶されているデータサンプルを（複数の）フィンガプロセッサに提供しつつ、入ってくるデータサンプルを受信するように設計されている。これは、記憶されているデータサンプルがバッファのある部分から読み取られる一方で、新たなデータデータサンプルがバッファの別の部分に書き込まれるようにサンプルバッファを実現することによって実行されてもよい。サンプルバッファはダブルバッファすなわち複数のバッファ、マルチポートバッファ、円形バッファ、あるいは他のバッファ設計として実現されてもよい。干渉累算器５３８はサンプルバッファ４０８と同様に（例えば、円形バッファとして）実現されてもよい。
【手続補正１４】
【補正対象書類名】明細書
【補正対象項目名】００７９
【補正方法】変更
【補正の内容】
【００７９】
上記の復調設計について、依然として処理されているサンプルを上書きしないように、サンプルバッファ４０８の容量は、（サンプルレートによって定義されている時間とバッファ容量の関係によって）全Ｍ個のマルチパスの全パイロット干渉を導き出すのに要する時間の少なくとも２倍となるように選択されてもよい。異なるデータサンプルセグメントをＭ個のマルチパスの各々に使用すると、サンプルバッファ４０８の容量は、サンプルバッファ４０８に割り当てられている各受信信号に対して少なくとも（２・Ｎ・ＮＯＳ）となるように選択されてもよい（ここでＮは一つのマルチパスの推定パイロット干渉を導き出すために使用されるデータサンプルの期間であり、ＮＯＳは（チップレートに対するサンプルレートの比として定義される）データサンプルのオーバーサンプリング係数である）。一つのシンボル周期のセグメント（例えばＮ＝６４ＰＮチップ）がマルチパスごとに処理される上記の例について、２つのシンボル周期のバッファは、その端数タイムオフセットに関係なく、マルチパスごとにデータサンプルの一つのシンボル周期のセグメントを提供できるであろう。オーバーサンプルレートがＮＯＳ＝８である場合、バッファの最小サイズは（２・Ｎ・ＮＯＳ＝２・６４・８＝１０２４）データサンプルである。
【手続補正１５】
【補正対象書類名】明細書
【補正対象項目名】００８０
【補正方法】変更
【補正の内容】
【００８０】
同様に、干渉累算器５３８の容量は少なくとも（３・Ｎ・ＮＯＳ）となるように選択されてもよい。干渉累算器の余分なシンボル周期（すなわち２・Ｎではなく３・Ｎ）は、推定パイロット干渉が次のセグメントに対して導き出されるという事実を説明する。
【手続補正１６】
【補正対象書類名】明細書
【補正対象項目名】００８３
【補正方法】変更
【補正の内容】
【００８３】
図７は、本発明の実施形態に従った、多数のマルチパスの全パイロット干渉を導き出すためのプロセス７００のフロー図である。プロセス７００は図５に示されているフィンガプロセッサ４１０によって実現されてもよい。
【手続補正１７】
【補正対象書類名】明細書
【補正対象項目名】００８４
【補正方法】変更
【補正の内容】
【００８４】
まず、ステップ７１２において、推定パイロット干渉を累算するために使用される累算器５３８がクリアされる。次いで、ステップ７１４において、処理されていない干渉マルチパスが選択される。一般的に、パイロット干渉はデータ復調用に割り当てられたマルチパスごとに推定される。しかしながら、割り当てられていないマルチパスによるパイロット干渉もまた推定されてしまう。一般的に、任意の数のマルチパスが処理されてもよく、これらのマルチパスは、パイロット干渉が全パイロット干渉を導き出すために推定および累算されるためのものである。
【手続補正１８】
【補正対象書類名】明細書
【補正対象項目名】００８５
【補正方法】変更
【補正の内容】
【００８５】
ステップ７１６において、選択マルチパスを有する受信信号のデータサンプルが処理されて、選択マルチパスのチャネル応答の推定を導き出す。チャネル応答は、上記のように、選択マルチパスにおけるパイロットに基づいて推定されてもよい。ｃｄｍａ２０００について、この処理は、（１）データサンプルをマルチパスの拡散シーケンスによって（すなわちマルチパスのタイムオフセットに対応する適切な位相によって）逆拡散することと、（２）逆拡散データサンプルをチャネル化してパイロットシンボルを提供すること（例えば逆拡散サンプルにパイロットチャネル化コードを乗算して、チャネル化データサンプルをパイロットチャネル化コードの長さで累算すること）と、（３）パイロットシンボルをフィルタリングして、選択マルチパスのチャネル応答を示すパイロット推定を導き出すことと、を伴っている。他の技術に基づいたチャネル応答の推定もまた使用されてもよく、これは本発明の範囲内である。
【手続補正１９】
【補正対象書類名】明細書
【補正対象項目名】００８６
【補正方法】変更
【補正の内容】
【００８６】
そして、ステップ７１８において、選択マルチパスによるパイロット干渉が推定される。パイロット干渉は、処理済みパイロットデータを生成し、このデータにステップ７１６で導き出された推定チャネル応答を乗算することによって推定される。処理済みパイロットデータは、パイロットデータがオールゼロのシーケンスであり、かつパイロットチャネル化コードもまたオールゼロである場合に、単に選択マルチパスの拡散シーケンスである。一般的に、処理済みパイロットデータは、フィルタリングと周波数アップコンバートの前ではなく、送信ユニットにおける全信号処理の後のパイロットデータである（例えば、ｃｄｍａ２０００におけるリバースリンクに関する、図３の変調器２１６ａの出力におけるデータ）。
【手続補正２０】
【補正対象書類名】明細書
【補正対象項目名】００８７
【補正方法】変更
【補正の内容】
【００８７】
次いで、ステップ７２０において、選択マルチパスの推定パイロット干渉が干渉累算器５３８に、処理前マルチパスの推定パイロット干渉と共に累算される。上記の通り、マルチパスのタイミング位相はステップ７１６、７１８、および７２０を実行する際に見られる。
【手続補正２１】
【補正対象書類名】明細書
【補正対象項目名】００８８
【補正方法】変更
【補正の内容】
【００８８】
ステップ７２２において、全干渉マルチパスが処理されたか否かが判断される。答えがいいえである場合、処理はステップ７１４に戻り、別の干渉マルチパスが処理用に選択される。そうでない場合、累算器５３８の内容は、全処理済みマルチパス（複数）による全パイロット干渉を表し、これはステップ７２４において提供されてもよい。そして処理は終了する。
【手続補正２２】
【補正対象書類名】明細書
【補正対象項目名】００９１
【補正方法】変更
【補正の内容】
【００９１】
まず、ステップ８１２において、対象となる全マルチパスによる全パイロット干渉が導き出される。ステップ８１２は図７に示されているプロセス７００を使用して実現されてもよい。そして、ステップ８１４において、特定のマルチパスがデータ復調用に選択される。一実施形態において、また上記のように、ステップ８１６において、全パイロット干渉はまず選択マルチパスから除去される。これは、（累算器５３８に記憶されている）全パイロット干渉の干渉サンプルを、選択マルチパスを含む受信信号のデータサンプルから減算することによって実行される。
【手続補正２３】
【補正対象書類名】明細書
【補正対象項目名】００９２
【補正方法】変更
【補正の内容】
【００９２】
そして、データ復調が一般的な方法でパイロット除去信号に実行される。ｃｄｍａ２０００について、これは、（１）パイロット除去データサンプルを逆拡散することと、（２）逆拡散データをチャネル化してデータシンボルを提供することと、（３）データシンボルをパイロット推定によって復調することとを伴っている。次いで、選択マルチパスの復調シンボル（すなわち復調データ）が、同一の送信ユニット（例えば端末）の他のマルチパスの復調シンボルと結合される。（例えば受信ダイバーシティが用いられている場合）複数の受信信号におけるマルチパスの復調シンボルもまた結合されてもよい。シンボル結合は図４に示されているシンボル結合器４２０によって実行されてもよい。
【手続補正２４】
【補正対象書類名】明細書
【補正対象項目名】０１０５
【補正方法】変更
【補正の内容】
【０１０５】
【図１】図１は無線通信システムの図である。
【図２】図２は、基地局および端末の実施形態の簡略ブロック図である。
【図３】図３は、ｃｄｍａ２０００におけるリバースリンクの変調器の実施形態のブロック図である。
【図４】図４はレーキ受信機の実施形態のブロック図である。
【図５】図５は、データ復調の実行に加えてパイロット干渉を推定および除去することができる、レーキ受信機内のフィンガプロセッサの具体的な実施形態のブロック図である。
【図６Ａ】図６Ａは、１つの具体的な実現に従った、パイロット干渉の推定を導き出すためのデータサンプルの処理を示している図（その１）である。
【図６Ｂ】図６Ｂは、１つの具体的な実現に従った、パイロット干渉の推定を導き出すためのデータサンプルの処理を示している図（その２）である。
【図７】図７は、多数のマルチパスの全パイロット干渉を導き出すためのプロセスの実施形態のフロー図である。
【図８】図８は、多数のマルチパスをパイロット干渉除去によってデータ復調するためのプロセスの実施形態のフロー図である。
【手続補正２５】
【補正対象書類名】図面
【補正対象項目名】図６Ｂ
【補正方法】変更
【補正の内容】
【図６Ｂ】
2004529590.tif 000002